(57)【特許請求の範囲】
【請求項１】
封筒と封入物を含む複数の頁で構成される通の原稿データを補正する原稿データ補正装置であって、
所定の判断基準に従い、前記原稿データの各頁から、特定画像情報を含む特定頁を判定する判定部と、
補正情報に基づいて、前記判定部により判定された前記特定頁の前記特定画像情報を補正する補正部と、
を具備し、
前記特定画像情報は、前記特定頁に表示されている宛名の領域及びサイズに関する情報を含み、
前記補正情報は、封筒と封入物から構成された封書において前記宛名が表示されるべき指定領域に関する情報を含み、
前記補正部は、前記特定画像情報における前記宛名の領域又はサイズの少なくとも何れか一方を補正することにより、前記封書において前記宛名を前記指定領域に表示させるような補正特定画像情報を生成することを特徴とする原稿データ補正装置。
【請求項２】
前記判断基準と前記補正情報が記憶された記憶部をさらに有し、
前記補正部は、前記補正特定画像情報を、前記特定頁と関連づけて前記記憶部に記憶させることを特徴とする請求項１記載の原稿データ補正装置。
【請求項３】
前記特定画像情報は、前記特定頁に表示されている非宛名画像の領域及びサイズに関する情報を含み、
前記補正情報は、封入物の折り位置に関する情報を含み、
前記補正部は、前記特定画像情報における前記非宛名画像の領域又はサイズの少なくとも何れか一方を補正することにより、前記封入物において前記非宛名画像を前記封入物の折り線から外れた領域に表示させるような補正特定画像情報を生成することを特徴とする請求項１又は２に記載の原稿データ補正装置。
【請求項４】
前記特定頁において、前記補正特定画像情報に係る補正特定画像が、補正されていない他の画像と重なる場合に警告を発することを特徴とする請求項１に記載の原稿データ補正装置。
【発明の詳細な説明】
【技術分野】
【０００１】
本発明は、封書を構成する封筒と封入物に印刷される原稿データを補正するための原稿データ補正装置であって、特に、指定した宛名等の画像の位置等を補正して、封筒や封入物の必要な位置に形成できるようにした原稿データ補正装置に係り、特に一具体例を挙げれば、窓空き封筒を用いた封書の作成において、封入物に印刷される宛名の位置を、指定した種類の窓空き封筒の窓の位置に合わせて適正に補正することができる原稿データ補正装置に関するものである。
【背景技術】
【０００２】
下記特許文献１には、自動的に封筒を選択し、封筒の正しい位置に画像を印刷できる印刷装置の発明が開示されている。
この発明によれば、複数の用紙格納手段に格納される封筒の定型サイズごとに、当該定型サイズの封筒に画像を印刷するために用いるオフセット量が設定される。そして、ユーザがとある定型サイズの封筒を指定し、その定型サイズの封筒を有する用紙格納手段が選択されると、その用紙格納手段から指定した封筒が給紙され、その封筒について設定されたオフセット量に従って宛名等の画像が位置をずらして印刷される。
【０００３】
下記特許文献１の開示によれば、その課題の説明において、以下のような指摘がある。すなわち、封筒の印刷において、封筒の長辺を搬送方向に平行にセットして搬送する（ショートエッジフィードと呼ぶ）方法を採用すると印刷時間が長くかかるが、フラップ部が主走査側にくるようにセットして搬送すれば（ロングエッジフィードと呼ぶ）、印刷にかかる時間を短縮できる。しかし、フラップの幅は封筒のメーカによって異なるため、ロングエッジフィードの場合には、封筒の縦横の長さを計測してユーザ定義サイズ用紙として登録しなければならないが、これでは原稿画像のサイズに基づいて用紙を自動選択し、印刷を行う自動用紙選択機能は使用できない。
【０００４】
しかしながら、下記特許文献１に開示された発明によれば、ロングエッジフィードで搬送するよう封筒をセットしても、封筒のフラップサイズに応じて画像位置がオフセットされるので、適切な画像が印刷できる。その結果、フラップを含まない画像サイズのジョブが投入されても、選択された用紙格納手段に登録されている情報に応じてオフセット量を変更し、フラップを除いた適切な位置に画像を印刷できる。従って、自動用紙選択の機能を用いて自動的に封筒を選択して印刷しても、選択された封筒のオフセット量に基づいて封筒の正しい位置に画像を印刷できるものとされている。
【先行技術文献】
【特許文献】
【０００５】
【特許文献１】特開２０１３−１１６５７２号公報
【発明の概要】
【発明が解決しようとする課題】
【０００６】
上記特許文献１に開示された発明は、封筒ごとに必要なオフセット量を設定しておくことにより、指定した封筒に対応した適切な位置に宛名等が印刷される技術に係るものである。しかしながら、これは、あくまで封筒に対する印刷位置の補正を目的としており、封筒と封入物が混在した通を含むジョブについては対応することができなかった。すなわち、封筒と封入物の各画像データを含む通について、封筒に印刷すべき宛名画像を検出し、その位置を指定された封筒の所定位置にずらして印刷するという補正作業を行うことはできなかった。具体的な一例を挙げれば、窓空き封筒の窓から、封入物に印刷された宛名が適正に視認できるように、ユーザーが指定した種類の窓空き封筒の窓の位置に合わせて、封入物に印刷する宛名の位置を補正することはできなかった。
【０００７】
本発明は、このような従来の技術及びその課題に鑑みてなされたものであり、封書を構成する封筒と封入物の原稿データの補正において、指定した宛名等の画像の位置等を補正することにより、封筒や封入物の必要な位置に当該画像を形成できるようにした原稿データ補正装置を提供することを目的としている。
【課題を解決するための手段】
【０００８】
請求項１に記載された原稿データ補正装置は、
封筒と封入物を含む複数の頁で構成される通の原稿データを補正する原稿データ補正装置であって、
所定の判断基準に従い、前記原稿データの各頁から、特定画像情報を含む特定頁を判定する判定部と、
補正情報に基づいて、前記判定部により判定された前記特定頁の前記特定画像情報を補正する補正部と、
を具備し、
前記特定画像情報は、前記特定頁に表示されている宛名の領域及びサイズに関する情報を含み、
前記補正情報は、封筒と封入物から構成された封書において前記宛名が表示されるべき指定領域に関する情報を含み、
前記補正部は、前記特定画像情報における前記宛名の領域又はサイズの少なくとも何れか一方を補正することにより、前記封書において前記宛名を前記指定領域に表示させるような補正特定画像情報を生成することを特徴としている。
【０００９】
請求項２に記載された原稿データ補正装置は、請求項１記載の原稿データ補正装置において、
前記判断基準と前記補正情報が記憶された記憶部をさらに有し、
前記補正部は、前記補正特定画像情報を、前記特定頁と関連づけて前記記憶部に記憶させることを特徴としている。
【００１１】
請求項３に記載された原稿データ補正装置は、請求項１又は２に記載の原稿データ補正装置において、
前記特定画像情報は、前記特定頁に表示されている非宛名画像の領域及びサイズに関する情報を含み、
前記補正情報は、封入物の折り位置に関する情報を含み、
前記補正部は、前記特定画像情報における前記非宛名画像の領域又はサイズの少なくとも何れか一方を補正することにより、前記封入物において前記非宛名画像を前記封入物の折り線から外れた領域に表示させるような補正特定画像情報を生成することを特徴としている。
請求項４に記載された原稿データ補正装置は、請求項１に記載の原稿データ補正装置において、
前記特定頁において、前記補正特定画像情報に係る補正特定画像が、補正されていない他の画像と重なる場合に警告を発することを特徴としている。
【発明の効果】
【００１２】
請求項１に記載された原稿データ補正装置によれば、封筒と封入物を含む複数の頁を含む通の原稿データから、所定の判断基準に従って、特定画像情報である宛名を識別することにより特定頁を判定する。次に、封筒と封入物からなる封書において宛名が表示されるべき指定領域の情報を補正情報とし、この補正情報に基づいて宛名の領域及びサイズの少なくとも何れか一方を補正することにより、補正特定画像情報を生成する。この補正特定画像情報によって原稿データの印刷を行えば、封書において宛名を適正な指定領域に移動し、また必要に応じてサイズを変換して印刷を行うことができる。
より具体的な一例として、宛名を印刷した封入物を窓空き封筒に封入して封書を作成する場合の原稿データ補正を説明する。まず原稿データ補正装置は、原稿データから宛名を識別することによって宛名が印刷される封入物の特定頁を判定する。次に、指定された種類の窓空き封筒において窓の位置を表す指定領域の情報を補正情報とし、この指定領域の情報に基づいて宛名の領域及びサイズの少なくとも何れか一方を補正し、補正特定画像情報を生成する。この補正特定画像情報によって原稿データの印刷を行えば、封入物の先頭頁に印刷される宛名の位置等が、指定された窓空き封筒の窓の位置に適合するように補正され、封書を作成した場合には、封入物に印刷した宛名が窓空き封筒の窓から適正に視認できる状態となる。
このように、封筒と封入物を含む複数の頁を含む通の原稿データから、所定の判断基準に従って特定画像情報を含む特定頁を判定し、その特定画像情報を補正情報に基づいて補正することができるので、封筒と封入物のいずれの特定頁についても特定画像情報を適正な位置に補正して印刷することができる。
【００１３】
請求項２に記載された原稿データ補正装置によれば、適正な判断基準と補正情報を予め記憶部に保持しておくことにより、特定頁の判定を的確に行うことができるとともに、適正に補正した特定画像情報を特定頁と関連づけて記憶部に記憶し、特定頁における特定画像情報の印刷を適正な位置及びサイズ等で確実に行わせることができる。
【００１６】
請求項３に記載された原稿データ補正装置によれば、封筒と封入物を含む複数の頁からなる通の原稿データから、所定の判断基準に従って、特定画像情報である非宛名画像、すなわち宛名以外の画像（文字、図、写真等）を識別することにより特定頁を判定する。次に、封筒と封入物からなる封書における封入物の折り手法の情報を補正情報とし、この補正情報に基づいて、封入物の折り線に係る位置に非宛名画像が存在する場合は、非宛名画像の領域及びサイズの少なくとも何れか一方を補正して非宛名画像が折り線にかからないような補正特定画像情報を生成する。この補正特定画像情報によって原稿データの印刷を行えば、封書の封入物において非宛名画像を折り線にかからない位置に移動して印刷を行うことができる。
請求項４に記載された原稿データ補正装置によれば、前記特定頁において、前記補正特定画像情報に係る補正特定画像が、補正されていない他の画像と重なる場合に警告を発することができる。
【図面の簡単な説明】
【００１７】
【図１】実施形態の封書作成装置の全体構成を模式的に示す図である。
【図２】実施形態の画像データ補正装置等の機能ブロック図である。
【図３】複数の通からなる原稿データの構造を模式的に示す図である。
【図４】実施形態の画像データ補正装置による原稿データ補正手順を示すフロー図である。
【図５】実施形態の画像データ補正装置において、補正情報である宛名の指定領域を表示した入力・表示部の画面を示す図である。
【図６】実施形態の画像データ補正装置において、特定画像情報を表示した入力・表示部の画面を示す図である。
【図７】実施形態の画像データ補正装置において、特定画像情報を指定領域に移動して得た補正特定画像情報を表示した入力・表示部の画面を示す図である。
【発明を実施するための形態】
【００１８】
本発明の実施形態について図１〜図７を参照して説明する。
本実施形態に係る封書作製装置は、作製すべき封書ごとに、既成の封筒又は折りによって封筒となる封筒用紙と、封入物となる用紙を連続して印刷し、それぞれ異なる搬送経路で搬送しつつ必要な折りを加えて最後に合流させて封筒に封入物を封入し、最終的に封筒のフラップを閉じて封緘された封書とし、装置の上部に揃えて排出する装置である。
【００１９】
この封書作製装置は、指定した宛名等の画像の位置等を補正して、封筒や封入物の必要な位置に形成できるようにした原稿データ補正装置を有することを特徴としているが、この特徴については後に詳述することとし、まずは封書作製装置の基本的な構造及び機能について図１を参照して説明する。
【００２０】
図１に示すように、封書作製装置１は、封筒及び封入物となる用紙を印刷して排出する印刷部２を備えている。この印刷部２は、装置の各部を収納する筐体４の内部又は側面等に、複数種類の被印刷体（枚葉状の用紙や封筒）を収納可能な複数の給紙台Ｐ（Ｐ１〜Ｐ４）を備えている。本例では、筐体４の側面に取り付けられた給紙台Ｐ１には既成の封筒４０が収納され、筐体４の内部に設けられた給紙台Ｐ２〜Ｐ４には封入物となる枚葉状の用紙３０が収納されている。なお、封筒４０としては、窓空き封筒、窓がない封筒のいずれも使用することができる。
【００２１】
給紙台Ｐから出た用紙等は、導入路からループ状の搬送路５に送り込まれて搬送され、搬送路の下半部に沿って下向きに所定間隔で配置された印刷手段によって画像が形成される。本例では、印刷手段として、シアン、ブラック、マゼンタ、イエローの各色のインクをそれぞれ吐出する４つのインクジェット装置Ｃ、Ｋ、Ｍ、Ｙが配置されている。
【００２２】
ループ状の搬送路５には、印刷手段の下流の隣部に、ほぼ水平な方向で用紙をループ外に排出する第１の排出路６が分岐している。また、ループ状の搬送路５の上半部には、用紙をループ外に排出する第２の排出路７が分岐している。さらに、第２の排出路７と給紙台Ｐからの導入路との間にはスイッチバック路８が分岐している。スイッチバック路８は、搬送路５を搬送されてきた用紙を受け入れた後に逆行させて搬送路５に戻すことにより、用紙の上下を反転させる手段である。このスイッチバック路８を用い、用紙の上下面を逆転させて搬送路５を２回通過させれば、インクジェット装置Ｃ、Ｋ、Ｍ、Ｙで用紙の両面にカラー画像を形成するカラー両面印刷を行なうことができる。
【００２３】
印刷部２の隣部には、印刷部２の第１の排出路６から送られた封筒や用紙を受け入れて処理し、封筒に用紙を封入して封緘する封入封緘部３が設けられている。
【００２４】
封入封緘部３の筐体９の内部には、印刷部２で印刷された封筒を搬送する第１の搬送経路１０が設けられている。第１の搬送経路１０は、印刷部２の第１の排出路６から水平方向に送られてきた封筒を搬送方向に沿って斜め上方に送る一方の経路１１と、この経路１１と略平行な斜め姿勢で筐体９の上面に設けられた封筒ストッカ１２と、封筒ストッカ１２から封筒を筐体９内に取り込み、斜め下方に送る他方の経路１３とを有している。この他方の経路１３の終端には、封筒反転手段５０と、封筒開封封入手段６０及び封緘手段７０が設けられている。
【００２５】
封入封緘部３の筐体９の内部には、印刷部２で印刷された用紙を搬送する第２の搬送経路２０が設けられている。この第２の搬送経路２０は、第１の搬送経路１０よりも下方にあり、印刷部２の第１の排出路６から水平方向に送られた用紙を斜め下方に送る一方の経路２１を有している。
【００２６】
経路２１の中途には、用紙搬送ローラ２２と、開閉自在なゲートである整合部２３が設けられており、搬送した用紙を、経路２１を閉止した整合部２３に重ねて貯留することができる。また、この経路２１の終端には、用紙を折り畳む折り手段が設けられている。この折り手段は、回動自在な中央の主折りローラＡと、主折りローラＡに回動自在に接触している第１折りローラＢ、第２折りローラＣ及び１つの用紙搬送ローラＤを有する。折り手段は、用紙３０に対し２回以上の折りができる。
【００２７】
封入封緘部３の筐体９の内部において、前記第２の搬送経路２０は、折り手段で折られた用紙３０を前記経路２１と略直交する斜め上方に連続して搬送する他方の経路２６を有している。この他方の経路２６は、封筒を斜め下方に送る前述した第１の搬送経路１０の他方の経路１３よりも下方の位置にあり、封筒反転手段５０において第１の搬送経路１０の経路１３と合流している。
【００２８】
封筒反転手段５０は、用紙搬送ローラａと、これを中心に配置された用紙搬送ローラｂ及びｇと、下方及び斜め上方に延設された２つの経路２７，２８とによって構成されている。第１の搬送経路１０の他方の経路１３から送られた封筒４０は、フラップが下方かつ左側となる姿勢で用紙搬送ローラａ及びｇの間に入り、挟持搬送されて下方の経路２７に送られる。さらに用紙搬送ローラａ及びｂに挟持されて斜め上方の経路２８に送られ、フラップが上側かつ左側となる姿勢で後述する封筒開封封入手段６０に送り込まれる。
【００２９】
封筒開封封入手段６０は、前述した用紙搬送ローラａ，ｂと、これらの用紙搬送ローラａ，ｂから斜め上方に延設された経路２８と、水平な経路２９と、水平な経路２９に沿って封筒及び用紙３０を正逆両方向に搬送する用紙搬送ローラｃと、用紙３０が封入された封筒を搬出する用紙搬送ローラｄと、封筒のフラップを開く往復揺動可能な開封爪４１とを有している。
【００３０】
封筒反転手段５０で姿勢を反転された封筒４０は、用紙搬送ローラａ、ｂによって搬入され、さらに正転する用紙搬送ローラｃによって水平な経路２９に沿って送り込まれる。逆転する用紙搬送ローラｃと、用紙搬送ローラｄの回転により、封筒４０は所定の位置に位置決めされ、停止する。開封爪４１が開封位置に移動して封筒４０のフラップを開くとともに、第２の搬送経路２０に沿って搬送されてきた折り畳まれた１枚又は複数枚の用紙３０が、用紙搬送ローラａ乃至ｃによって封筒４０内に送り込まれる。この間、封筒４０は、用紙搬送ローラｄによって位置が固定されている。
【００３１】
折り畳まれた用紙３０は開口を広げられた封筒４０の内部に封入され、封入が完了する。開封爪４１は待機位置に戻り、逆転する用紙搬送ローラｃと用紙搬送ローラｄの回転により封筒４０を後段に送り出す。
【００３２】
用紙搬送ローラｄから送り出された封筒４０等は、斜め上前方に向けて傾斜して配置された経路４２を通って封緘手段７０に送り込まれる。経路４２の上方には、封緘手段７０を構成する一対の用紙搬送ローラｅ及びｆが設けられている。
【００３３】
経路４２に沿って送られた封筒４０は、経路４２の終端に突き当たり、フラップの折り目４３が折れて用紙搬送ローラｅ及びｆの間に入る。これと同時に用紙搬送ローラｅ及びｆを駆動すれば、封筒４０はフラップが閉じられた状態になって筐体９の上面側に送り出される。
【００３４】
筐体９の上面には排出ストッカ４４が設置されており、順次送り出された完成した封書は、排出ストッカ４４に整然と並んで重ねられた状態で順次斜め上方に移動していく。
【００３５】
次に、封書作成装置１が備える原稿データ補正装置について、図１〜図７を参照して説明する。
図１及び図２に示すように、封書作製装置１の印刷部２には、封書作製装置１の全体を統括して制御するための制御部１００が設けられている。この制御部１００は、印刷部２及び封入封緘部３の制御装置であるとともに、図２に示すように印刷部２における原稿データ補正装置（以下、制御部１００と同一の符号を使用して原稿データ補正装置１００とも表記する。）としての機能も備えている。また、印刷部２には入力・表示部１０１が設けられている。この入力・表示部１０１は、封書作製装置１の全体を統括して操作するための情報入力手段であり、また制御情報等を表示するための表示手段でもある。
【００３６】
図２に示すように、原稿データ補正装置１００は、判定部１０２と補正部１０３を含むＣＰＵ１０４を備えている。判定部１０２は、所定の判断基準（ルール）に従い、原稿データの各頁から、補正に関係する特定画像情報を含む特定頁を識別し判定する。補正部１０３は、補正情報に基づいて特定画像情報を補正し、特定画像情報に係る画像を特定頁の適正な位置等に印刷するための補正特定画像情報を生成する。なお判定基準と補正情報は予め記憶部１０５に格納されており、生成された補正特定画像情報は特定頁と紐付けられて記憶部１０５に記憶され、後の印刷部２における印刷において使用される。判定基準と補正情報は、記憶部１０５に格納したもののなかからユーザーが選択して使用してもよいし、その都度入力してもよい。また、原稿データ２００は装置の外部からＩ／Ｏ１０６を経てＣＰＵ１０４に入力される。
【００３７】
図３は、原稿データ補正装置１００における補正操作の対象である原稿データ２００の構造を模式的に示す図である。原稿データ２００は、封筒と封入物を含む複数の頁２０１で構成される通２０２を１単位とし、通常、図示のように１通目、２通目等のように通２０２，２０２間を所定のマークで区切られた連続する複数の通２０２で構成された画像情報である。頁２０１の種別としては、例えば、封筒頁表、封筒頁裏、封入物先頭頁、封入物途中頁、封入物最終頁等が想定できる。各頁２０１の具体的な画像情報の内容としては、図３に示すように郵便番号で始まる宛名や、図中Ａ，Ｂ，Ｃ，Ｄで示した文字、図形、写真等の宛名以外の画像情報が想定できる。
【００３８】
図３に示す原稿データ２００に対し、原稿データ補正装置１００は、図４に示すフロー図に従って以下に説明するように画像の印刷位置の補正を行う。なお、この説明は、窓空き封筒に、複数枚の封入物を封入して封書を作成する場合において、封入物先頭頁に印刷される宛名の印刷位置を窓の位置に合わせて補正する例を示している。
【００３９】
まず、外部から原稿データ補正装置１００に原稿データが入力されると、位置補正が開始される（Ｓ１）。ユーザーは、入力・表示部１０１から、補正情報である封筒窓領域情報を入力する（Ｓ２）。すなわち、図５に示すように、入力・表示部１０１の画面に「領域定義」画面を呼出し、使用する封筒名（図では「窓空き封筒Ａ」と指定）と、用紙サイズ（図では「２３３×２９７」ｍｍ）を入力し、ＯＫキー１０７を押下する。画面には、宛名が表示されるべき指定領域（窓の部分）１１０が破線で表示された指定の窓空き封筒の画像１１１が表示される。これにより、この指定の窓空き封筒において宛名が表示されるべき指定領域（窓の部分）１１０に関する情報が、「窓空き封筒Ａ」について使用される補正情報として確定する。なお、記憶部１０５には各種の窓空き封筒について封筒窓領域情報が予め格納されている。
【００４０】
次に、ユーザーは、補正しようとする特定画像情報を含む特定頁を原稿データ中から判定部１０２に検索させ、特定画像情報を取得するために、画像位置、サイズ、識別文字の入力を入力・表示部１０１から行う（Ｓ３）。すなわち、図６に示すように、入力・表示部１０１の画面に「画像位置指定」画面を呼出し、特定頁として指定する「ページ種別」（図では「封筒ページ表」と指定）、特定頁を識別するための判断基準となる「識別キーワード」（図では「〒」と指定）、使用する封筒名（図では先に選択した「窓空き封筒Ａ」と指定）を入力し、ＯＫキー１０７を押下する。なお、頁種別は先に説明したように複数の種類が存在するが、各頁を判断する全ての判断基準を入力、設定する必要は必ずしもなく、発見したい特定頁を見つけるための判断基準を設定すればよい。
【００４１】
原稿データ補正装置１００の判定部１０２は、原稿データの各頁について種別を判別し（Ｓ４）、識別キーワードである「〒」が含まれる頁が発見された場合には、これを特定ページと判定する。この例では、記号「〒」を用いて、宛名が印刷される封入物の頁を特定頁として判定している。そして、判定部１０２は、図６に示すように、特定画像情報である宛名を含む特定ページの画像１１３を入力・表示部１０１に表示する。図６の例では、特定ページの画像１１３中には特定画像情報である宛名が表示されているが、宛名以外の画像は存在しない。ユーザーは、入力・表示部１０１の画面上でポインター等の指定手段を用いて宛名を囲む宛名領域１１２を指定し、ＯＫキー１０７を押下して特定画像情報を確定する。なお、宛名の特定画像情報には、宛名の領域（特定ページにおいて宛名画像が存在している領域の位置情報）と、宛名を構成する文字等のサイズに関する情報が含まれる。
【００４２】
原稿データ補正装置１００の補正部１０３は、特定画像情報である宛名を、指定した「窓空き封筒Ａ」の封筒窓領域情報によって補正する。すなわち、その位置及び文字サイズの各補正量を算出して補正特定画像情報を生成し（Ｓ５）、図７に示すように、入力・表示部１０１の「補正特定画像確認」画面において、指定領域１１０に移動した宛名である補正特定画像を表示する。図７に示した「補正特定画像確認」画面では、宛名は位置が移動しているだけでなく、サイズも縮小されている。なお、文字サイズの補正は必要である場合に行う。これは、移動するだけで宛名を元の位置から「窓空き封筒Ａ」の窓の位置に納めることができる場合には、文字サイズの補正は必要ないが、位置を移動するだけでは宛名が窓の領域に入りきらない場合は、宛名を縮小する補正が必要になる場合もあるからである。
【００４３】
原稿データ補正装置１００の判定部１０２又は図示しない第２判定部は、図７に示す補正特定画像である宛名が、位置を補正していない他の宛名以外の画像と重なっているか否かを判定する（Ｓ７）。この例では、宛名以外の画像がないので重なりはない。
【００４４】
位置等を補正された宛名が、補正の対象外である他の画像と重なっていれば（Ｓ７、ＹＥＳ）、入力・表示部１０１に警告メッセージを表示する。重なっていなければ（Ｓ７、ＮＯ）、生成された補正特定画像情報（位置等が補正された宛名）は、特定頁（宛名があった特定頁）と紐付けられて記憶部１０５に記憶され、印刷部２における後の印刷において使用される。
【００４５】
原稿データ補正装置１００は、以上の処理を原稿データの全ての通の全ての頁について実行する。全ページの処理が完了すれば（Ｓ８、ＹＥＳ）、この原稿データに関する補正処理は完了であり（Ｓ９）、全ページの処理が完了していなければ（Ｓ８、ＮＯ）、Ｓ４に戻って未処理の各頁について順次同様の処理を実行する。
【００４６】
以上の補正処理により得られた補正特定画像情報を用いて原稿データの印刷を印刷部２で行えば、封入物の先頭頁に印刷される宛名の位置等が、指定された窓空き封筒の窓の位置に適合するように補正されるので、封入封緘部３にて封書を作成した場合には、封入物に印刷した宛名が窓空き封筒の窓から適正に視認できる状態となる。
【００４７】
このように、本実施形態によれば、特定頁に対してだけ、その特定画像情報に係る画像の位置やサイズの補正を行う事ができるため、窓空き封筒の窓の位置やサイズを正確に把握しなくても、窓空き封筒用の原稿データを容易に作成する事ができる効果が得られる。
【００４８】
以上説明した補正処理例では、窓空き封筒を使用する例を説明したが、窓のない封筒の表面に直接宛名が印刷される封書を作成する際においても、この原稿データ補正装置１００を好適に用いることができる。例えば、図３に示したような原稿データ２００を用いて窓のない通常の封筒を用いて封書作成する場合、任意のサイズの封筒を指定しても、指定された封筒の宛名が表示されるべき指定領域に関する情報が補正情報として記憶部１０５から読み出され、宛名の位置が当該指定領域に相当する位置まで移動されるので、封筒の表面に適正な宛先印刷が行える。
【００４９】
また、以上説明した補正処理例では、特定画像情報を宛名としたため、特定頁を検出するための判断基準として「〒」の記号を用いたが、判断基準は特定頁の種類・性質等に基づき任意に定めることができることは言うまでもない。例えば、頁中の特定位置（範囲）に特定の文字・記号等がある場合に封入物の特定頁であると判断することとしてもよく、具体的には、例えばあるロゴ又は商標等が頁のヘッダーの特定位置に見出される場合は封入物であると判断する、という判断基準を採用することもできる。
【００５０】
さらに、本実施形態の原稿データ補正装置１００によれば、以上説明したように封筒の表面に表す宛名の配置を補正するための原稿データ補正だけでなく、封入物における画像の位置補正にも好適に使用することができる。例えば、封筒と封入物からなる複数の頁を含む通の原稿データから、所定の判断基準に従って、特定画像情報である非宛名画像、すなわち宛名以外の画像（文字、図、写真等）を識別することにより特定頁を判定することもできる。その場合、封入物の折り手法（三つ折り、四つ折り等の折りパターン）の情報を補正情報とする。この補正情報に基づいて、封入物の折り線に係る位置に非宛名画像が存在すると判断される場合には、非宛名画像の領域及びサイズの少なくとも何れか一方を補正して、非宛名画像が折り線にかからないような補正特定画像情報を生成することができる。この補正特定画像情報によって原稿データの印刷を行えば、封書の封入物において非宛名画像を折り線にかからない位置に移動して印刷を行うことができるので見栄えが良くなる。
【００５１】
なお、以上説明した実施形態では、原稿データ補正装置は封書作成装置１に制御部１００の機能の一部として搭載されていたが、原稿データ補正装置は封書作成装置１にネットワークを介して接続されたパーソナルコンピュータ等の外部端末にて実現してもよい。すなわち、この場合、原稿データ補正装置は、外部端末上のアプリケーション或いはプリンタドライバとして構成されており、原稿データ補正装置で補正された原稿データはネットワークを介して封書作成装置１に送信される。また、外部端末に備えられたディスプレイ、マウス、キーボードが表示・入力部１０１として機能する。
【符号の説明】
【００５２】
１  封入封緘装置
２  印刷部
３  封入封緘部
３０  封入物となる用紙
４０  封筒
１００  原稿データ補正装置である制御部
１０１  入力・表示部
１０２  判定部
１０３  補正部
１０４  ＣＰＵ
１０５  記憶部
１１０  指定領域
１１１  窓付き封筒の画像
１１２  宛名領域
１１３  特定頁の画像
２００  原稿データ
２０１  頁
２０１  通
【図１】
0006775956.tif 000002
【図２】
0006775956.tif 000003
【図３】
0006775956.tif 000004
【図４】
0006775956.tif 000005
【図５】
0006775956.tif 000006
【図６】
0006775956.tif 000007
【図７】
0006775956.tif 000008